(57)【要約】【課題】  水田作業機のエンジン始動装置において、電動モータの出力ギヤやエンジン側ギヤの泥水付着を効果的に防止できるようにする。【解決手段】  エンジン始動用の電動モータの出力ギヤ３２と、出力ギヤ３２に噛合うエンジン側ギヤ３３とを覆うギヤカバー３５を、出力ギヤ３２とエンジン側ギヤ３３との全周にわたって設けてある。【選択図】        図７
2009112196.tif 000002
【特許請求の範囲】
【請求項１】
エンジン始動用の電動モータを備えた水田作業機のエンジン始動装置であって、
前記電動モータの出力ギヤと前記出力ギヤに噛合うエンジン側ギヤとを覆うギヤカバーを、前記出力ギヤと前記エンジン側ギヤとの全周にわたって設けてある水田作業機のエンジン始動装置。
【発明の詳細な説明】
【技術分野】
【０００１】
本発明は、エンジン始動用の電動モータを備えた水田作業機のエンジン始動装置に関する。
【背景技術】
【０００２】
水田作業機として、従来、たとえば特許文献１に記載された乗用型田植機があった。
特許文献１に記載された乗用型田植機では、エンジン支持フレームの左側部分は板金溶接構造でエンジン側に向けて凹入した立体的な構造に構成され、その凹入部位にエンジンのフライホイールの下部が入り込んでいる。
【０００３】
【特許文献１】特開平１０−４８２３４号公報（段落〔００２３〕、図２，４，７）
【発明の開示】
【発明が解決しようとする課題】
【０００４】
水田作業機では、泥水の跳ね上がりが発生しやすく、エンジン始動装置の電動モータの出力ギヤやエンジン側ギヤに泥水が付着してしまうと、錆びや摩滅が発生しやすくなる。
上記した従来の技術を適用しても、効果的な泥水付着の防止が得にくくなっていた。
すなわち、上記した従来技術を適用すると、エンジン側ギヤの下端側の一部のみを覆うことになり、エンジン側ギヤの上端側の大部分が露出したままになっていた。
【０００５】
本発明の目的は、上記した出力ギヤやエンジン側ギヤの泥水付着を効果的に防止することができる水田作業機のエンジン始動装置を得ることにある。
【課題を解決するための手段】
【０００６】
本第１発明は、エンジン始動用の電動モータを備えた水田作業機のエンジン始動装置において、
前記電動モータの出力ギヤと前記出力ギヤに噛合うエンジン側ギヤとを覆うギヤカバーを、前記出力ギヤと前記エンジン側ギヤとの全周にわたって設けてある。
【０００７】
本第１発明の構成によると、前記出力ギヤと前記エンジン側ギヤとが全周にわたってカバーによって覆われ、跳ね上げられた泥水が出力ギヤとエンジン側ギヤの周囲のいずれの部位に向かっても、カバーで受け止められて出力ギヤやエンジン側ギヤに付着しにくい。
【０００８】
これにより、出力ギヤやエンジン側ギヤの泥水付着を効果的に防止し、錆びや摩滅が発生しにくくて長期にわたってエンジン始動をスムーズに行えるエンジン始動装置を得ることができる。
【発明を実施するための最良の形態】
【０００９】
以下、本発明の実施例を図面に基づいて説明する。
図１は、本発明の実施例に係る水田作業機の側面図である。図２は、本発明の実施例に係る水田作業機の平面図である。これらの図に示すように、本発明の実施例に係る水田作業機は、左右一対の駆動及び操向操作自在な前車輪１，１と左右一対の駆動自在な後車輪２，２とによって自走するよう構成され、かつ、車体前部に設けたエンジン３を有した原動部２０と、車体後部に設けた運転座席４を有した運転部と、前記原動部２０の両横側に設けた予備苗載せ装置５とが装備された自走車を備え、この自走車の車体フレーム６の後部にリンク機構７を介して連結された苗植付け装置１０を備えている。
【００１０】
この水田作業機は、田植え作業を行う。
すなわち、前記苗植付け装置１０は、前記リンク機構７が油圧シリンダ８によって車体フレーム６に対して上下に揺動操作されることにより、苗植付け装置１０の下部に車体横方向に並べて設けてある接地フロート１１が圃場面に接地した下降作業状態と、前記接地フロート１１が圃場面から高く上昇した上昇非作業状態とに昇降する。苗植付け装置１０を下降作業状態にして自走車を走行させると、苗植付け装置１０は、前記エンジン３の出力が回転軸１２を介して伝達されて駆動され、苗植付け装置１０の後部に車体横方向に並べて設けてある六つの苗植付け機構１３によって圃場面に苗植付けを行う。すなわち、前記各苗植付け機構１３は、一対の苗植付け爪１３ａ，１３ａを備え、一対の苗植付け爪１３ａ，１３ａが交互に、苗植付け装置１０の前部に設けてある一つの苗載せ台１４の下端部と圃場との間を往復移動する苗植え運動を行う。前記苗載せ台１４は、苗植付け機構１３の苗植え運動に連動して車体横方向に往復移送される。これにより、各苗植付け機構１３が、前記苗載せ台１４に車体横方向に並べて設けてある六つの苗載置部１４ａのうちの対応する苗載置部１４ａに載置されたマット状苗から一株分のブロック苗を切断して取り出し、この取り出し苗を圃場面に持ち込んで植え付ける。
【００１１】
図３は、前記原動部２０の側面図である。図４は、前記原動部２０の平面図である。図５は、前記原動部２０の正面図である。これらの図に示すように、前記原動部２０は、前記エンジン３を備える他、エンジン３の車体横方向での横側方に配置したエンジン冷却用のラジエータ２１と、エンジン３の上方に配置したエンジン排気用のマフラー２２とを備えている。
【００１２】
前記エンジン３は、出力ベルトプーリ２３が車体横向き軸芯のまわりに回動する搭載姿勢で車体フレーム６に支持されている。このエンジン３は、エンドプレート２４に支持された電動モータ３１を有したエンジン始動装置３０を備えている。
【００１３】
図６は、前記エンジン始動装置３０の平面図である。図７は、前記エンジン始動装置３０の側面図である。これらの図に示すように、前記エンジン始動装置３０は、前記電動モータ３１を備える他、この電動モータ３１の出力ギヤ３２に噛合うエンジン側ギヤ３３を備えて構成してある。
【００１４】
前記出力ギヤ３２は、エンジン始動時以外において前記エンジン側ギヤ３３から離脱した位置にあり、電動モータ３１が駆動されたエンジン始動時に、移動操作されて前記エンジン側ギヤ３３に噛合う。前記エンジン側ギヤ３３は、エンジン３のクランク軸（図示せず）に連動するようフライホイール３４に一体成形して設けてあり、エンジン始動装置３０は、電動モータ３１によってフライホイール３４を駆動してエンジン３を始動させる。
【００１５】
図３〜７に示すように、前記エンジン始動装置３０は、前記エンドプレート２４に支持されたギヤカバー３５を備えている。図６，７に示すように、前記ギヤカバー３５は、小径カバー部３５ａと大径カバー部３５ｂとを備えて構成してあり、前記小径カバー部３５ａによって前記出力ギヤ３２をこれの全周にわたって覆って出力ギヤ３２の泥水付着を防止し、前記大径カバー部３５ｂによって前記エンジン側ギヤ３３をこれの全周にわたって覆ってエンジン側ギヤ３３の泥水付着を防止する。
【００１６】
図１，２に示すように、前記自走車は、前記左右一対の予備苗載せ装置５，５の支柱５ａに支持させた前照灯４０を備えている。
【００１７】
図８に示すように、前記自走車は、前記運転座席４の下方に配置したエンジン燃料タンク４１を備えている。このエンジン燃料タンク４１は、跳ね上がった泥水が付着しにくいよう燃料タンク上部がステップ４２よりも高い配置高さに位置する配置になっている。図８，９に示すように、このエンジン燃料タンク４１は、車体フレーム６に立設された座席支持台４３の内部に配置してあり、前記座席支持台４３の左右一対の板金製の横側板４３ａ，４３ｂがエンジン燃料タンク４１の横側方を覆うガードになっている。このエンジン燃料タンク４１の後端側は、運転座席４の後方に位置する作業ステップ４６の下方に位置している。
【００１８】
図１０に示すように、前記自走車は、前記エンジン燃料タンク４１の横外側近くに配置して前記座席支持台４３が有するステー４７に支持させた燃料ポンプ４４とウオータセパレータ４５とを備えている。この燃料ポンプ４４とウオータセパレータ４５とは、前記作業ステップ４６下方に配置してあり、ステップ４２が燃料ポンプ４４とウオータセパレータ４５との雨濡れを防止している。
【００１９】
図１１は、別の燃料タンク配置構造を備えた自走車のタンク配設部での側面図である。この自走車では、エンジン燃料タンク４１は、座席支持台４３と、座席支持台４３を覆うカバー４８との内部に位置した配置になっている。
すなわち、座席支持台４３の左右一対の側板４３ａ，４３ｂと、カバー４８の左右一対の横側板とが、燃料タンク４１の横側方を覆うガードになっている。カバー４８の前壁板が、燃料タンク４１の前方を覆うガードになっている。
【図面の簡単な説明】
【００２０】
【図１】水田作業機の側面図
【図２】水田作業機の平面図
【図３】原動部の側面図
【図４】原動部の平面図
【図５】原動部の正面図
【図６】エンジン始動装置の平面図
【図７】エンジン始動装置の側面図
【図８】自走車の燃料タンク配設部での側面図
【図９】自走車の燃料タンク配設部での平面図
【図１０】自走車の燃料ポンプとウオータセパレータとの配設部での側面図
【図１１】別の実施構造を備えた自走車の燃料タンク配設部での側面図
【符号の説明】
【００２１】
３１        電動モータ
３２        出力ギヤ
３３        エンジン側ギヤ
３５        ギヤカバー
【図１】
2009112196.tif 000003
【図２】
2009112196.tif 000004
【図３】
2009112196.tif 000005
【図４】
2009112196.tif 000006
【図５】
2009112196.tif 000007
【図６】
2009112196.tif 000008
【図７】
2009112196.tif 000009
【図８】
2009112196.tif 000010
【図９】
2009112196.tif 000011
【図１０】
2009112196.tif 000012
【図１１】
2009112196.tif 000013